(57)【要約】【課題】  バラスト水の殺滅処理を確実に且つ効率よく行えるようにするとともに、ランニングコストの低減を図れるようにしたバラスト水処理装置を得る。【解決手段】  被処理水汲上ポンプ１と被処理水を濾過処理するフィルタ２と濾過処理された処理水を貯留するバラストタンク３を備えたバラスト水処理ライン４と、被処理水を船外排出する被処理水船外排出手段５を備えた被処理水船外排出ライン６と、バラストタンク３内の処理水を汲み上げる処理水汲上ポンプ７と処理水を紫外線処理する紫外線リアクタ８と紫外線処理された処理水を船外排出する処理水船外排出手段９を備えた処理水船外排出ライン１０とからなり、処理水の汲み上げ時に、バラストタンク３内の処理水を汲み上げ、紫外線リアクタ８に通して紫外線処理を行い、処理水船外排出ライン１０から船外に排出するようにした。【選択図】  図１
2015143064.tif 000002
【特許請求の範囲】
【請求項１】
被処理水を汲み上げる被処理水汲上ポンプと汲み上げられた被処理水を濾過処理するフィルタと濾過処理された処理水を貯留するバラストタンクをこの順に備えたバラスト水処理ラインと、
汲み上げた被処理水を船外排出する被処理水船外排出手段を備えた被処理水船外排出ラインと、
前記バラストタンク内の処理水を汲み上げる処理水汲上ポンプと汲み上げられた処理水を紫外線処理する紫外線リアクタと紫外線処理された処理水を船外排出する処理水船外排出手段を備えた処理水船外排出ラインとからなっており、
被処理水の汲み上げ時には、前記被処理水汲上ポンプによる被処理水の汲み上げ開始から所定時間汲み上げた被処理水を前記フィルタを通さずに前記被処理水船外排出手段で前記被処理水船外排出ラインから船外に排出し、所定時間が経過すると、前記被処理水船外排出手段による前記被処理水船外排出ラインからの船外排出を停止し、被処理水を前記フィルタに通して濾過し、濾過処理された処理水を前記バラストタンクへ注水し、処理水の汲み上げ時には、前記処理水汲上ポンプにより前記バラストタンク内の処理水を汲み上げ、汲み上げられた処理水を前記紫外線リアクタに通して紫外線処理を行い、前記処理水船外排出手段で前記処理水船外排出ラインから船外に排出するようにしたことを特徴とするバラスト水処理装置。
【請求項２】
前記被処理水船外排出ラインは、前記被処理水汲上ポンプと前記フィルタとの間の前記バラスト水処理ラインに接続し、前記被処理水船外排出ラインには前記被処理水船外排出手段を構成する被処理水船外排出弁を設け、
前記被処理水汲上ポンプと前記フィルタとの間に接続した前記被処理水船外排出ラインと前記フィルタとの間の前記バラスト水処理ラインには処理水弁を設けたことを特徴とする請求項１に記載のバラスト水処理装置。
【請求項３】
前記被処理水汲上ポンプの上流側の前記バラスト水処理ラインに被処理水汲上弁を備え、
前記被処理水汲上ポンプを前記処理水船外排出ラインに備えた前記処理水汲上ポンプと兼ねさせ、
前記処理水船外排出ラインにあっては、一端が前記被処理水汲上弁と前記被処理水汲上ポンプとの間の前記バラスト水処理ラインに接続し、他端が前記バラストタンクに接続した処理水汲上ラインと、一端が前記被処理水汲上ポンプと前記処理水弁との間の前記バラスト水処理ラインに接続した処理水排出ラインとからなり、
前記処理水排出ラインに前記紫外線リアクタと前記処理水船外排出手段を備えたことを特徴とする請求項２に記載のバラスト水処理装置。
【請求項４】
前記処理水船外排出ラインにおける前記処理水排出ラインは前記被処理水船外排出ラインと共通となっており、前記被処理水船外排出手段を前記処理水船外排出手段と兼ねさせ、
前記被処理水船外排出手段の上流側の前記被処理水船外排出ラインに前記紫外線リアクタを備えたバイパスラインを設け、
処理水の汲み上げ時に、前記処理水汲上ポンプを兼ねる前記被処理水汲上ポンプにより前記バラストタンク内の処理水を汲み上げ、汲み上げられた処理水を前記処理水排出ラインを兼ねる前記被処理水船外排出ラインに設けた前記バイパスラインに備える前記紫外線リアクタで紫外線処理を行い、前記処理水船外排出手段を兼ねる前記被処理水船外排出手段で前記処理水船外排出ラインから船外に排出するようにしたことを特徴とする請求項３に記載のバラスト水処理装置。
【請求項５】
前記紫外線リアクタ内の紫外線照度を測定する紫外線センサを備え、また、前記紫外線リアクタと前記処理水船外排出手段との間の前記処理水船外排出ラインと、前記フィルタの下流側の前記バラスト水処理ラインとを接続し、
処理水の汲み上げ時に、処理水を前記紫外線リアクタへ通過させ、前記紫外線リアクタを通る処理水に紫外線処理を開始して紫外線照度を調整し、前記紫外線センサで測定した照度が所定照度になるまで処理水を船外排出させないで前記バラストタンクに戻し、所定照度になったら前記処理水船外排出手段により前記処理水船外排出ラインから船外に排出するようにしたことを特徴とする請求項１乃至４のいずれか１項に記載のバラスト水処理装置。
【請求項６】
前記紫外線リアクタ内の紫外線照度を測定する紫外線センサを備え、また、前記紫外線リアクタの下流側の前記バイパスラインと前記フィルタの下流側の前記バラスト水処理ラインとを接続し、
処理水の汲み上げ時に、処理水を前記紫外線リアクタへ通過させ、前記紫外線リアクタを通る処理水に紫外線処理を開始して紫外線照度を調整し、前記紫外線センサで測定した照度が所定照度になるまで処理水を船外排出させないで前記バラストタンクに戻し、所定照度になったら前記処理水船外排出手段により前記処理水船外排出ラインから船外に排出するようにしたことを特徴とする請求項４に記載のバラスト水処理装置。
【発明の詳細な説明】
【技術分野】
【０００１】
本発明は、船舶に貯留されるバラスト水を処理するバラスト水処理装置に関する。
【背景技術】
【０００２】
タンカー等の船舶において、積み荷の原油等を降ろした後、再度目的地に向けて航行する際、航行中の船舶のバランスを取るため、通常船舶に設けられたバラストタンク内にバラスト水と呼ばれる水を貯留する。バラスト水は基本的に荷上港で取水されて、荷積港で排出されるため、それらの場所が異なっていれば、バラスト水中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。このバラスト水による海洋環境の破壊を防止するために、国際海事機関（ＩＭＯ）においては、バラスト水管理条約を締結するとともに、バラスト水排出基準として船外に排出されるバラスト水中に含まれる微生物の含有量を規制している。
このバラスト水排出基準では、プランクトンのサイズにより、５０μｍ以上のプランクトンは１０個体／ｍ３以下、１０〜５０μｍのプランクトンは１０個体／ｍｌ以下、とそれぞれ定められており、また、細菌類については、大腸菌類２５０ｃｆｕ／１００ｍｌ未満などと定められている。
このようなことから、バラスト水をバラストタンクに貯留する際に、バラスト水中の微生物等を殺滅処理することが要求されている。
【０００３】
バラスト水中の微生物等を殺滅処理する手段として、バラスト水として汲み上げた被処理水に紫外線を照射して処理する紫外線処理法が知られている（例えば、特許文献１参照。）。このようなバラスト水処理装置では、バラスト水として汲み上げた被処理水の紫外線処理は、被処理水の紫外線リアクタ通過時にしか効果がなく、紫外線処理後の処理水の継続的な効果までは望めない。そして、バラストタンクに貯留した処理水の船外排出にあっては、特に処理水の処理は行われないままに排出されている。
しかし、紫外線処理した処理水に殺滅しきれなかった微生物等が残り、これが航海中に増殖するおそれがあるといったことが懸念されることから、処理水の排出時に処理水を再度紫外線処理するといったバラスト水処理装置が開示されている（例えば、特許文献２参照。）。
【先行技術文献】
【特許文献】
【０００４】
【特許文献１】特開２０１１−２５５３６５号公報
【特許文献２】特開２０１２−２１７９６６号公報
【発明の概要】
【発明が解決しようとする課題】
【０００５】
しかしながら、上記の特許文献２で開示されているバラスト水処理装置では、バラスト水の汲上げ時における被処理水と排出時における処理水に対してそれぞれ紫外線処理を行うため、バラスト水の汲上げ時に行う被処理水の紫外線処理に比べ２倍の電力を消費するとともに紫外線ランプの寿命も半減してしまうことになり、ランニングコストの増加を余儀なくされるといった問題がある。
本発明者らは、このような問題を解決すべく試験研究を重ねた結果、バラスト水で問題となるのは、バラスト水を船外に排出するときにバラスト水に存在する微生物等であることに着目し、本発明を完成するに至った。
【０００６】
本発明の目的は、船舶に貯留されているバラスト水を排出するときにバラスト水に存在する微生物を紫外線処理することにより、バラスト水の殺滅処理を確実に且つ効率よく行えるようにするとともに、ランニングコストの低減を図れるようにしたバラスト水処理装置を提供することにある。
【課題を解決するための手段】
【０００７】
上記の目的を達成するために、請求項１に記載の発明は、被処理水を汲み上げる被処理水汲上ポンプと汲み上げられた被処理水を濾過処理するフィルタと濾過処理された処理水を貯留するバラストタンクをこの順に備えたバラスト水処理ラインと、汲み上げた被処理水を船外排出する被処理水船外排出手段を備えた被処理水船外排出ラインと、前記バラストタンク内の処理水を汲み上げる処理水汲上ポンプと汲み上げられた処理水を紫外線処理する紫外線リアクタと紫外線処理された処理水を船外排出する処理水船外排出手段を備えた処理水船外排出ラインとからなっており、被処理水の汲み上げ時には、前記被処理水汲上ポンプによる被処理水の汲み上げ開始から所定時間汲み上げた被処理水を前記フィルタを通さずに前記被処理水船外排出手段で前記被処理水船外排出ラインから船外に排出し、所定時間が経過すると、前記被処理水船外排出手段による前記被処理水船外排出ラインからの船外排出を停止し、被処理水を前記フィルタに通して濾過し、濾過処理された処理水を前記バラストタンクへ注水し、処理水の汲み上げ時には、前記処理水汲上ポンプにより前記バラストタンク内の処理水を汲み上げ、汲み上げられた処理水を前記紫外線リアクタに通して紫外線処理を行い、前記処理水船外排出手段で前記処理水船外排出ラインから船外に排出するようにしたことを特徴としているバラスト水処理装置である。
【０００８】
請求項１に記載の発明によれば、被処理水の汲み上げ時には、被処理水の汲み上げ開始から所定時間汲み上げた被処理水を前記フィルタを通さずに前記被処理水船外排出手段で前記被処理水船外排出ラインから船外に排出し、所定時間が経過すると、前記被処理水船外排出手段による前記被処理水船外排出ラインからの船外排出を停止し、被処理水を前記フィルタに通して濾過するので、汲み上げ時の濁度による前記フィルタの目詰まりが軽減され、そして、前記フィルタによる濾過処理により被処理水に存在する大型サイズの微生物等が捕捉された処理水を前記バラストタンクへ注水することができ、処理水の汲み上げ時には、汲み上げた処理水を前記紫外線リアクタに通して紫外線処理を行い、前記処理水船外排出手段で前記処理水船外排出ラインから船外へ排出するようにしたので、処理水に存在する小型サイズの微生物や細菌類等を紫外線処理により殺滅して船外に排出することができ、そして、被処理水の汲み上げ時には被処理水の紫外線処理は行わず、処理水の船外排出時に処理水を紫外線処理で殺滅処理し船外へ排出するので、紫外線ランプ等のランニングコストの低減を図ることができる。
【０００９】
請求項２に記載の発明は、前記被処理水船外排出ラインは、前記被処理水汲上ポンプと前記フィルタとの間の前記バラスト水処理ラインに接続し、前記被処理水船外排出ラインには前記被処理水船外排出手段を構成する被処理水船外排出弁を設け、前記被処理水汲上ポンプと前記フィルタとの間に接続した前記被処理水船外排出ラインと前記フィルタとの間の前記バラスト水処理ラインには処理水弁を設けたことを特徴としている請求項１に記載のバラスト水処理装置である。
【００１０】
請求項２に記載の発明によれば、汲み上げた被処理水を前記フィルタを通さずに前記被処理水船外排出ラインから船外へ排出する場合は、前記バラスト水処理ラインに設けた処理水弁を閉じ、前記被処理水船外排出手段を構成する被処理水船外排出弁を開き、そして、所定時間経過後、被処理水の前記被処理水船外排出ラインからの船外排出を停止し、被処理水を前記フィルタに通す場合は、前記バラスト水処理ラインに設けた前記処理水弁を開き、前記被処理水船外排出手段を構成する前記被処理水船外排出弁を閉じるといった簡単な操作により行うことができる。
【００１１】
請求項３に記載の発明は、前記被処理水汲上ポンプの上流側の前記バラスト水処理ラインに被処理水汲上弁を備え、前記被処理水汲上ポンプを前記処理水船外排出ラインに備えた前記処理水汲上ポンプと兼ねさせ、前記処理水船外排出ラインにあっては、一端が前記被処理水汲上弁と前記被処理水汲上ポンプとの間の前記バラスト水処理ラインに接続し、他端が前記バラストタンクに接続した処理水汲上ラインと、一端が前記被処理水汲上ポンプと前記処理水弁との間の前記バラスト水処理ラインに接続した処理水排出ラインとからなり、前記処理水排出ラインに前記紫外線リアクタと前記処理水船外排出手段を備えたことを特徴としている請求項２に記載のバラスト水処理装置である。
【００１２】
請求項３に記載の発明によれば、前記被処理水汲上ポンプの上流側の前記バラスト水処理ラインに被処理水汲上弁を備え、前記被処理水汲上ポンプを前記処理水船外排出ラインに備えた前記処理水汲上ポンプと兼ねさせたので、構成が簡単となりバラスト水処理装置の小型化が図れる。
【００１３】
請求項４に記載の発明は、前記処理水船外排出ラインにおける前記処理水排出ラインは前記被処理水船外排出ラインと共通となっており、前記被処理水船外排出手段を前記処理水船外排出手段と兼ねさせ、前記被処理水船外排出手段の上流側の前記被処理水船外排出ラインに前記紫外線リアクタを備えたバイパスラインを設け、処理水の汲み上げ時に、前記処理水汲上ポンプを兼ねる前記被処理水汲上ポンプにより前記バラストタンク内の処理水を汲み上げ、汲み上げられた処理水を前記処理水排出ラインを兼ねる前記被処理水船外排出ラインに設けた前記バイパスラインに備える前記紫外線リアクタで紫外線処理を行い、前記処理水船外排出手段を兼ねる前記被処理水船外排出手段で前記処理水船外排出ラインから船外に排出するようにしたことを特徴としている請求項３に記載のバラスト水処理装置である。
【００１４】
請求項４に記載の発明によれば、前記処理水船外排出ラインにおける前記処理水排出ラインは前記被処理水船外排出ラインと共通となっており、前記被処理水船外排出手段を前記処理水船外排出手段と兼ねさせ  前記被処理水船外排出手段の上流側の前記被処理水船外排出ラインに前記紫外線リアクタを備えたバイパスラインを設けたので、構成が一層簡単となりバラスト水処理装置の一層の小型化が図れる。
【００１５】
請求項５に記載の発明は、前記紫外線リアクタ内の紫外線照度を測定する紫外線センサを備え、また、前記紫外線リアクタと前記処理水船外排出手段との間の前記処理水船外排出ラインと、前記フィルタの下流側の前記バラスト水処理ラインとを接続し、処理水の汲み上げ時に、処理水を前記紫外線リアクタへ通過させ、前記紫外線リアクタを通る処理水に紫外線処理を開始して紫外線照度を調整し、前記紫外線センサで測定した照度が所定照度になるまで処理水を船外排出させないで前記バラストタンクに戻し、所定照度になったら前記処理水船外排出手段により前記処理水船外排出ラインから船外に排出するようにしたことを特徴としている請求項１乃至４のいずれか１項に記載のバラスト水処理装置である。
【００１６】
請求項５に記載の発明によれば、処理水の汲み上げ時に、処理水を前記紫外線リアクタへ通過させ、前記紫外線リアクタを通る処理水に紫外線処理を開始して紫外線照度を調整し、前記紫外線センサで測定した照度が所定照度になるまで処理水を船外排出させないで前記バラストタンクに戻し、所定照度になったら前記処理水船外排出手段により前記処理水船外排出ラインから船外に排出するようにしたので、紫外線処理により確実に殺滅処理された処理水を船外に排出することができる。
【００１７】
請求項６に記載の発明は、前記紫外線リアクタ内の紫外線照度を測定する紫外線センサを備え、また、前記紫外線リアクタの下流側の前記バイパスラインと前記フィルタの下流側の前記バラスト水処理ラインとを接続し、処理水の汲み上げ時に、処理水を前記紫外線リアクタへ通過させ、前記紫外線リアクタを通る処理水に紫外線処理を開始して紫外線照度を調整し、前記紫外線センサで測定した照度が所定照度になるまで処理水を船外排出させないで前記バラストタンクに戻し、所定照度になったら前記処理水船外排出手段により前記処理水船外排出ラインから船外に排出するようにしたことを特徴としている請求項４に記載のバラスト水処理装置である。
【００１８】
請求項６に記載の発明によれば、処理水の汲み上げ時に、処理水を前記紫外線リアクタへ通過させ、前記紫外線リアクタを通る処理水に紫外線処理を開始して紫外線照度を調整し、前記紫外線センサで測定した照度が所定照度になるまで処理水を船外排出させないで前記バラストタンクに戻し、所定照度になったら前記処理水船外排出手段により前記処理水船外排出ラインから船外に排出するようにしたので、紫外線処理により確実に殺滅処理された処理水を船外に排出することができる。
【発明の効果】
【００１９】
本発明に係るバラスト水処理装置によれば、被処理水の汲み上げ時には、被処理水汲上ポンプによる被処理水の汲み上げ開始から所定時間汲み上げた被処理水をフィルタを通さずに船外へ排出し、所定時間が経過すると船外排出を停止し、被処理水をフィルタに通して濾過し、濾過処理された処理水をバラストタンクへ注水するので、汲み上げ時の濁度によるフィルタの目詰まりを軽減することができ、そして、フィルタによる濾過処理により被処理水に存在する大型サイズの微生物等が捕捉された処理水をバラストタンクへ注水することができる。
また、処理水の汲み上げ時には、汲み上げた処理水を紫外線リアクタに通して紫外線処理を行い、船外へ排出するようにしたので、処理水に存在する小型サイズの微生物や細菌類等を紫外線処理により殺滅して船外に排出することができ、そして、被処理水の汲み上げ時には被処理水の紫外線処理は行わず、処理水の船外排出時に処理水を紫外線処理で殺滅処理し船外へ排出するので、紫外線ランプ等のランニングコストの低減を図ることができる。
【図面の簡単な説明】
【００２０】
【図１】本発明に係るバラスト水処理装置を実施するための形態の第１例を示す概略構成図である。
【図２】本発明に係るバラスト水処理装置を実施するための形態の第２例を示す概略構成図である。
【図３】本発明に係るバラスト水処理装置を実施するための形態の第３例を示す概略構成図である。
【図４】本発明に係るバラスト水処理装置を実施するための形態の第４例を示す概略構成図である。
【発明を実施するための形態】
【００２１】
以下、本発明に係るバラスト水処理装置を実施するための形態を、図面を参照して詳細に説明する。
まず、本発明に係るバラスト水処理装置の実施の形態の第１例を図１に示す概略構成図により説明する。
【００２２】
本例のバラスト水処理装置は、被処理水を汲み上げる被処理水汲上ポンプ１と汲み上げられた被処理水を濾過処理するフィルタ２と濾過処理された処理水を貯留するバラストタンク３をこの順に備えたバラスト水処理ライン４と、汲み上げた被処理水を船外排出する被処理水船外排出手段５を備えた被処理水船外排出ライン６と、バラストタンク３内の処理水を汲み上げる処理水汲上ポンプ７と汲み上げられた処理水を紫外線処理する紫外線リアクタ８と紫外線処理された処理水を船外排出する処理水船外排出手段９を備えた処理水船外排出ライン１０と、被処理水の汲み上げ時には、被処理水汲上ポンプ１による被処理水の汲み上げ開始から所定時間汲み上げた被処理水をフィルタ２を通さずに被処理水船外排出手段５で被処理水船外排出ライン６から船外に排出し、所定時間が経過すると、被処理水船外排出手段５による被処理水船外排出ライン６からの船外排出を停止し、被処理水をフィルタ２に通して濾過し、濾過処理され処理水をバラストタンク３へ注水し、処理水の汲み上げ時には、処理水汲上ポンプ７によりバラストタンク３内の処理水を汲み上げ、処理水を紫外線リアクタ８に通して紫外線処理を行い、処理水船外排出手段９で処理水船外排出ライン１０から船外に排出する制御機能を備えた制御装置１１を備えている。
本例では、制御装置１１に備えたタイマ（図示省略）により被処理水の汲み上げ開始からの経過時間を確認している。
【００２３】
ここでいう被処理水の汲み上げ開始からの所定時間とは、汲み上げによって生じるシーチェスト（図示省略）と呼ばれる汲み上げ口付近の海底（あるいは湖底、川底など）の泥や砂が巻き上げられることによる一時的な濁度の上昇が、汲み上げ開始前の濁度付近まで下がる時間として設定されている。
【００２４】
本例では、被処理水船外排出ライン６は、被処理水汲上ポンプ１とフィルタ２との間のバラスト水処理ライン４に接続しており、被処理水船外排出ライン６には被処理水船外排出手段５を構成する被処理水船外排出弁１２が設けられている。被処理水汲上ポンプ１とフィルタ２との間に接続している被処理水船外排出ライン６とフィルタ２との間のバラスト水処理ライン４には処理水弁１３が設けられている。また、被処理水汲上ポンプ１の上流側のバラスト水処理ライン４には被処理水汲上弁１４が設けられている。また、処理水船外排出ライン１０には、処理水船外排出手段９を構成する処理水船外排出弁１５が設けられている。
制御装置１１による制御は、被処理水船外排出手段５を構成する被処理水船外排出弁１２と、処理水弁１３と、処理水船外排出手段９を構成する処理水船外排出弁１５と、被処理水汲上弁１４の開閉を制御して行われる。
【００２５】
また、本例では、紫外線リアクタ８内の紫外線照度を測定する紫外線センサ１６を備え、また、紫外線リアクタ８と処理水船外排出手段９との間の処理水船外排出ライン１０とフィルタ２の下流側のバラスト水処理ライン４とが処理水戻しライン１７を介して接続しており、処理水戻しライン１７には処理水戻し弁１８が設けられている。そして、制御装置１１には、処理水の汲み上げ時に、汲み上げられた処理水を紫外線リアクタ８へ通過させ、紫外線リアクタ８を通る処理水に紫外線処理を開始して紫外線照度を調整し、紫外線センサ１６で測定した照度が所定照度になるまで処理水を船外排出させないで、処理水戻しライン１７を通過させてバラストタンク３に戻し、所定照度になったら処理水船外排出手段９により処理水船外排出ライン１０から船外に排出する制御機能を備えており、この制御機能による制御は、処理水船外排出手段９を構成する処理水船外排出弁１５と処理水戻しライン１７に設けられた処理水戻し弁１８の開閉を制御して行われる。
【００２６】
このように構成された第１例のバラスト水処理装置による被処理水の処理は、次のようにして行われる。
まず、被処理水の汲み上げ時には、処理水弁１３を閉じ、被処理水船外排出弁１２と被処理水汲上弁１４を開き、被処理水汲上ポンプ１を起動する。被処理水汲上ポンプ１の起動により、被処理水は被処理水船外排出ライン６に流れ、フィルタ２を通らずに被処理水船外排出手段５で船外に排出される。
【００２７】
被処理水の汲み上げを開始すると、制御手段１１に備えたタイマがカウントを開始する。被処理水の汲み上げ開始から所定時間が経過すると、処理水弁１３を開き、被処理水船外排出弁１２を閉じ、さらに処理水戻しライン１７に設けられた処理水戻し弁１８が開いている場合はこれを閉じることにより、被処理水の船外排出が停止し、被処理水はフィルタ２を通り、フィルタ２で濾過処理された処理水がバラスト水としてバラストタンク３へ送り込まれる。
なお、被処理水の船外排出を停止するタイミングは、被処理水の汲み上げ開始から所定時間が経過したことを確認した時点でもよいし、所定時間が経過した後であってもよい。
【００２８】
次に、処理水の汲み上げ時には、処理水戻し弁１８を開き、処理水弁１３、被処理水汲上弁１４、処理水船外排出弁１５を閉じ、処理水汲上ポンプ７を起動する。処理水汲上ポンプ７の起動によりバラストタンク３内から汲み上げられた処理水は、処理水船外排出ライン１０に流れ、紫外線リアクタ８を通過し、紫外線リアクタ８で紫外線処理され、紫外線処理された処理水は処理水戻しライン１７を流れ、バラスト水処理ライン４を流れてバラストタンク３に戻る。
【００２９】
紫外線リアクタ８を通る処理水に紫外線処理を開始して紫外線照度を調整し、紫外線センサ１６で測定した照度が所定照度になったら処理水戻し弁１８を閉じ、処理水船外排出弁１５を開くことにより、紫外線処理により微生物等が殺滅処理された処理水が船外へ排出される。処理水戻し弁１８を閉じ、処理水船外排出弁１５を開くタイミングは、紫外線センサ１６で測定した照度が所定照度になったことを確認した時点でもよいし、所定照度になった後であってもよい。
【００３０】
次に、本発明に係るバラスト水処理装置の実施の形態の第２例を図２に示す概略構成図により説明する。
本例のバラスト水処理装置は、第１例と基本構成を同じくしており、第１例と同一の構成については同一の符号を付す。また、本例では、第１例と重複する説明を適宜に省略する。
本例では、被処理水汲上ポンプ１を処理水船外排出ライン１０に備えた処理水汲上ポンプ７と兼ねさせている。また、処理水船外排出ライン１０にあっては、一端が被処理水汲上弁１４と被処理水汲上ポンプ１（７）との間のバラスト水処理ライン４に接続し、他端がバラストタンク３に接続した処理水汲上ライン１０ａと、一端が被処理水汲上ポンプ１（７）と処理水弁１３との間のバラスト水処理ライン４に接続した処理水排出ライン１０ｂとからなり、処理水汲上ライン１０ａの一端と処理水排出ライン１０ｂの一端との間のバラスト水処理ライン４の部分が処理水船外排出ライン１０と共通となっている。処理水排出ライン１０ｂには紫外線リアクタ８と処理水船外排出手段９を備えている。また、処理水汲上ライン１０ａには処理水汲上弁１９が設けられている。
【００３１】
本例は、被処理水を被処理水船外排出手段５で被処理水船外排出ライン６から船外に排出する制御機能と、処理水を処理水船外排出手段９で処理水船外排出ライン１０から船外に排出する制御機能を備えた制御装置２０を備えている。
制御装置２０による被処理水を船外に排出する制御と処理水を船外に排出する制御は、被処理水船外排出手段５を構成する被処理水船外排出弁１２と、処理水弁１３と、処理水船外排出手段９を構成する処理水船外排出弁１５と、被処理水汲上弁１４と、処理水戻し弁１８と、処理水汲上弁１９の開閉を制御して行われる。
制御装置２０は、第１例の制御装置１１と同様にタイマ（図示省略）を備えており、被処理水の汲み上げ開始からの経過時間を確認している。
【００３２】
このように構成された第２例のバラスト水処理装置による被処理水の処理は、次のようにして行われる。
まず、被処理水の汲み上げ時には、処理水弁１３、処理水船外排出弁１５、処理水戻し弁１８、処理水汲上弁１９を閉じ、被処理水船外排出弁１２と被処理水汲上弁１４を開き、被処理水汲上ポンプ１（７）を起動する。被処理水汲上ポンプ１（７）の起動により、被処理水は被処理水船外排出ライン６に流れ、フィルタ２を通らずに被処理水船外排出手段５で船外に排出される。
【００３３】
被処理水の汲み上げを開始すると、制御手段２０に備えたタイマがカウントを開始する。被処理水の汲み上げ開始から所定時間が経過すると、処理水弁１３を開き、被処理水船外排出弁１２を閉じることにより、被処理水の船外排出が停止し、被処理水はフィルタ２を通り、フィルタ２で濾過処理された処理水がバラスト水としてバラストタンク３へ送り込まれる。
なお、被処理水の船外排出を停止するタイミングは、被処理水の汲み上げ開始から所定時間が経過したことを確認した時点でもよいし、所定時間が経過した後であってもよい。
【００３４】
次に、処理水の汲み上げ時には、処理水戻し弁１８、処理水汲上弁１９を開き、処理水弁１３、被処理水汲上弁１４、処理水船外排出弁１５を閉じ、処理水汲上ポンプ７（１）を起動する。処理水汲上ポンプ７（１）の起動によりバラストタンク３内から汲み上げられた処理水は、処理水汲上ライン１０ａ、処理水汲上ライン１０ａの一端と処理水排出ライン１０ｂの一端との間のバラスト水処理ライン４の部分、処理水排出ライン１０ｂをこの順で流れ、処理水排出ライン１０ｂに備えられた紫外線リアクタ８で紫外線処理され、紫外線処理された処理水は処理水戻しライン１７を流れ、バラスト水処理ライン４を流れてバラストタンク３に戻る。
【００３５】
紫外線リアクタ８を通る処理水に紫外線処理を開始して紫外線照度を調整し、紫外線センサ１６で測定した照度が所定照度になったら処理水戻し弁１８を閉じ、処理水船外排出弁１５を開くことにより、紫外線処理により微生物等が殺滅処理された処理水が船外へ排出される。処理水戻し弁１８を閉じ、処理水船外排出弁１５を開くタイミングは、紫外線センサ１６で測定した照度が所定照度になったことを確認した時点でもよいし、所定照度になった後であってもよい。
【００３６】
次に、本発明に係るバラスト水処理装置の実施の形態の第３例を図３に示す概略構成図により説明する。
本例のバラスト水処理装置は、第２例と基本構成を同じくしており、第２例と同一の構成については同一の符号を付す。また、本例では、第２例と重複する説明を適宜に省略する。
本例では、処理水船外排出ライン１０における処理水排出ライン１０ｂは被処理水船外排出ライン６と共通となっており、被処理水船外排出手段５を処理水船外排出手段９と兼ねさせ、被処理水船外排出手段５（９）の上流側の被処理水船外排出ライン６に紫外線リアクタ８を備えたバイパスライン２１を設けている。紫外線リアクタ８の上流側のバイパスライン２１にはバイパス弁２２を設け、また、被処理水船外排出ライン６におけるバイパスライン２１の上流端接続部位と下流端接続部位との間には被処理水弁２３を設けている。
また、本例では、処理水戻しライン１７は、一端がバイパスライン２１の下流端接続部位と処理水船外排出手段９との間の処理水船外排出ライン１０ｂ（６）と接続し、他端がフィルタ２の下流側のバラスト水処理ライン４と接続している。
【００３７】
本例は、被処理水を被処理水船外排出手段５で被処理水船外排出ライン６から船外に排出する制御機能と、処理水を処理水船外排出手段９で処理水船外排出ライン１０から船外に排出する制御機能を備えた制御装置２４を備えている。
制御装置２４による被処理水を船外に排出する制御と処理水を船外に排出する制御は、被処理水船外排出手段５を構成する被処理水船外排出弁１２と、処理水弁１３と、処理水船外排出手段９を構成する処理水船外排出弁１５と、被処理水汲上弁１４と、処理水戻し弁１８と、処理水汲上弁１９と、バイパス弁２２と、被処理水弁２３の開閉を制御して行われる。
制御装置２４は、第１例の制御装置１１と同様にタイマ（図示省略）を備えており、被処理水の汲み上げ開始からの経過時間を確認している。
【００３８】
このように構成された第３例のバラスト水処理装置による被処理水の処理は、次のようにして行われる。
まず、被処理水の汲み上げ時には、処理水弁１３、処理水戻し弁１８、処理水汲上弁１９、バイパス弁２２を閉じ、被処理水船外排出弁１２（１５）、被処理水汲上弁１４、被処理水弁２３を開き、被処理水汲上ポンプ１（７）を起動する。被処理水汲上ポンプ１（７）の起動により、被処理水は被処理水船外排出ライン６（１０ｂ）に流れ、フィルタ２を通らずに被処理水船外排出手段５（９）で船外に排出される。
【００３９】
被処理水の汲み上げを開始すると、制御手段２４に備えたタイマがカウントを開始する。被処理水の汲み上げ開始から所定時間が経過すると、処理水弁１３を開き、被処理水船外排出弁１２（１５）を閉じることにより、被処理水の船外排出が停止し、被処理水はフィルタ２を通り、フィルタ２で濾過処理された処理水がバラスト水としてバラストタンク３へ送り込まれる。
なお、被処理水の船外排出を停止するタイミングは、被処理水の汲み上げ開始から所定時間が経過したことを確認した時点でもよいし、所定時間が経過した後であってもよい。
【００４０】
次に、処理水の汲み上げ時には、処理水戻し弁１８、処理水汲上弁１９、バイパス弁２２を開き、処理水弁１３、被処理水汲上弁１４、被処理水弁２３を閉じ、処理水汲上ポンプ７（１）を起動する。処理水汲上ポンプ７（１）の起動によりバラストタンク３内から汲み上げられた処理水は、処理水汲上ライン１０ａ、処理水汲上ライン１０ａの一端と処理水排出ライン１０ｂ（６）の一端との間のバラスト水処理ライン４の部分、処理水排出ライン１０ｂ（６）の一端とバイパスライン２１の上流端接続部位との間の部分、バイパスライン２１をこの順で流れ、バイパスライン２１に備えられた紫外線リアクタ８で紫外線処理され、紫外線処理された処理水は処理水戻しライン１７へと流れ、バラスト水処理ライン４を流れてバラストタンク３に戻る。
【００４１】
紫外線リアクタ８を通る処理水に紫外線処理を開始して紫外線照度を調整し、紫外線センサ１６で測定した照度が所定照度になったら、処理水戻し弁１８を閉じ、処理水船外排出弁１５（１２）を開くことにより、紫外線処理により微生物等が殺滅処理された処理水が船外へ排出される。処理水戻し弁１８を閉じ、処理水船外排出弁１５（１２）を開くタイミングは、紫外線センサ１６で測定した照度が所定照度になったことを確認した時点でもよいし、所定照度になった後であってもよい。
【００４２】
次に、本発明に係るバラスト水処理装置の実施の形態の第４例を図４に示す概略構成図により説明する。
本例のバラスト水処理装置は、第３例と基本構成を同じくしており、第３例と同一の構成については同一の符号を付す。また、本例では、第３例と重複する説明を適宜に省略する。
本例では、処理水戻しライン１７は、一端が紫外線リアクタ８の下流側のバイパスライン２１と接続し、他端がフィルタ２の下流側のバラスト水処理ライン４と接続している。他の構成は第３例と同一である。
【００４３】
このように構成された第４例のバラスト水処理装置による被処理水の処理は、第３例と同様に、制御装置２４に制御されて、被処理水を被処理水船外排出手段５で被処理水船外排出ライン６から船外に排出し、また、処理水を処理水船外排出手段９で処理水船外排出ライン１０から船外に排出する。
【００４４】
なお、前記した本発明に係るバラスト水処理装置の実施の形態の第１例〜第４例では、いずれも処理水の汲み上げ時に、紫外線リアクタ８を通る処理水に紫外線処理を開始して紫外線照度を調整し、紫外線センサ１６で測定した照度が所定照度になるまで処理水を船外排出させないでバラストタンク３に戻し、所定照度になったら処理水船外排出手段９により処理水船外排出ライン１０から船外に排出するようにしているが、他例として、汲み上げ時に、紫外線リアクタ８を通る処理水に紫外線処理を行い、紫外線処理された処理水をバラストタンク３に戻さないで処理水船外排出手段９により処理水船外排出ライン１０から船外に排出するようにしてもよい。
【符号の説明】
【００４５】
１  被処理水汲上ポンプ
２  フィルタ
３  バラストタンク
４  バラスト水処理ライン
５  被処理水船外排出手段
６  被処理水船外排出ライン
７  処理水汲上ポンプ
８  紫外線リアクタ
９  処理水船外排出手段
１０  処理水船外排出ライン
１０ａ  処理水汲上ライン
１０ｂ  処理水排出ライン
１１、２０、２４  制御装置
１２  被処理水船外排出弁
１３  処理水弁
１４  被処理水汲上弁
１６  紫外線センサ
２１  バイパスライン
【図１】
2015143064.tif 000003
【図２】
2015143064.tif 000004
【図３】
2015143064.tif 000005
【図４】
2015143064.tif 000006